(57)【要約】【課題】体毛の切断時に体毛が引っ張られながら切断されることを防止し、体毛の切断時にユーザーに不快感が発生することを低減するカミソリを提供する。【解決手段】カミソリは、ユーザーによって把持されるハンドルと、ハンドルの端部と結合し、一つ以上のブレード１２を収容するブレードハウジング１１と、ハンドルに装着されて動力を生成する動力生成部３２と、動力生成部３２で生成された動力によって駆動する駆動伝達部と、一つ以上のブレード１２のうちの最前方ブレードの前方に配置されて駆動伝達部の駆動によって一つ以上のブレード１２に近づくように、または、遠ざかるように揺動する揺動部材１４と、を含む。【選択図】図２ａ
2019209150.tif 000002
【特許請求の範囲】
【請求項１】
ユーザーによって把持されるハンドルと、
前記ハンドルの端部と結合し、一つ以上のブレードを収容するブレードハウジングと、
前記ハンドルに装着されて動力を生成する動力生成部と、
前記動力生成部で生成された動力によって駆動する駆動伝達部と、
前記一つ以上のブレードのうちの最前方ブレードの前方に配置され、前記駆動伝達部の駆動によって前記一つ以上のブレードに近づくように、または、遠ざかるように揺動する揺動部材と、を含むカミソリ。
【請求項２】
前記揺動部材の前方に形成されたガードをさらに含み、
前記揺動部材は前記ガードと前記一つ以上のブレードのうちの前記最前方ブレードとの間の空間で移動する請求項１に記載のカミソリ。
【請求項３】
前記揺動部材は、前記一つ以上のブレードのうちの前記最前方ブレードの前方にて摺動によって揺動する請求項１に記載のカミソリ。
【請求項４】
前記揺動部材の摺動で前記揺動部材と前記一つ以上のブレードのうちの前記最前方ブレードとの間の空間に流入した体毛を前記最前方ブレードに近づくように押し込む請求項３に記載のカミソリ。
【請求項５】
前記揺動部材は、
前記最前方ブレードに隣接し、前記ブレードに近づくように、または、遠ざかるように摺動するガードバーと、
前記ガードバーと前記駆動伝達部との間に備えられ、前記駆動伝達部の回転に応じて前記ガードバーを線形運動させる摺動バーと、を含む請求項３に記載のカミソリ。
【請求項６】
前記ガードバーは、前記ブレードと対面する第１の面を有し、前記第１の面は斜めに形成される請求項５に記載のカミソリ。
【請求項７】
前記ガードバーの少なくとも一端には突起部が形成され、
前記ブレードハウジングには、前記突起部に対応するレール部が形成され、
前記突起部が前記レール部に沿って移動することで、前記ガードバーが前記ブレードハウジングにて線形運動する請求項５に記載のカミソリ。
【請求項８】
前記摺動バーの底面には、前記駆動伝達部が収容され、前記駆動伝達部が回転するための回動締結空間が形成される請求項５に記載のカミソリ。
【請求項９】
前記駆動伝達部は、
偏心カムボディと、
前記偏心カムボディの一端に備えられ、外面の全体または一部が曲面で形成され、前記回動締結空間に収容される偏心カムヘッドと、を含む請求項８に記載のカミソリ。
【請求項１０】
前記ブレードハウジングと前記ハンドルをつなぎ、前記駆動伝達部が安着され、前記ブレードハウジングがピボットを行うことができるようにピボット軸を提供するカートリッジコネクタをさらに含む請求項１に記載のカミソリ。
【発明の詳細な説明】
【技術分野】
【０００１】
本発明は、カミソリに関し、より詳しくは、体毛の切断時に体毛をブレード側に押し込んで体毛のカット面が滑らかな切断を容易にするカミソリに関する。
【背景技術】
【０００２】
一般的に、カミソリは、ユーザーが手で握って使用するハンドル、身体の体毛を切断するカートリッジで構成する。
【０００３】
特許文献１には、カートリッジ３０が切断方向に往復運動をして体毛の切断効率を増大させる技術が開示されている。
【０００４】
具体的には、特許文献１によるカミソリ５０は、カミソリカートリッジ３０に偏心カムによる上下往復移動（Ｘ方向）に振動力を提供し、二つの真空ガード３３、３４をヘッド部ハウジング２１０、２１２の位置に備えることで、圧縮／膨張運動を提供して体毛を切断させる経済的で便利なカミソリである。
【先行技術文献】
【特許文献】
【０００５】
【特許文献１】韓国登録特許第１０６８２７１号
【発明の概要】
【発明が解決しようとする課題】
【０００６】
本発明が解決しようとする課題は、体毛を切断するブレードが装着されたカミソリにおいて、切断するためにブレードに流入する体毛を切断が容易になるようにブレード側に押し込み、体毛の切断時に体毛が引っ張られながら切断されることを防止し、体毛のシェービング時に、皮膚のひりひり感や引き攣りのようなユーザーの不快感が発生することを低減するカミソリを提供することにある。
【０００７】
本発明の課題は、以上で言及した課題に制限されず、取り上げていないまた別の課題は、以下の記載から当業者に明確に理解できるだろう。
【課題を解決するための手段】
【０００８】
前記課題を解決するための本発明の実施例に係るカミソリは、ユーザーによって把持されるハンドルと、前記ハンドルに装着されて動力を生成する動力生成部と、前記動力生成部で生成された動力によって駆動する駆動伝達部と、一つ以上のブレードを収容し、前記ハンドルの端部と結合するブレードハウジングと、前記一つ以上のブレードのうちの最前方ブレードの前方に配置され、前記駆動伝達部の駆動によって前記一つ以上のブレードに近づくように、または、遠ざかるように揺動する揺動部材と、を含む。
【０００９】
また、カミソリは前記揺動部材の前方に形成されたガードをさらに含み、前記揺動部材は前記ガードと前記一つ以上のブレードのうちの前記最前方ブレードとの間の空間にて移動する。
【００１０】
また、前記揺動部材は、前記一つ以上のブレードのうちの前記最前方ブレードの前方で摺動によって揺動する。
【００１１】
また、前記揺動部材の摺動で前記揺動部材と前記一つ以上のブレードのうちの前記最前方ブレードとの間の空間に流入した体毛を前記最前方ブレードに近づくように押し込む。
【００１２】
また、前記揺動部材は、前記最前方ブレードに隣接して前記ブレードに近づくように、または、遠ざかるように摺動するガードバーと、前記ガードバーと駆動伝達部との間に備えられ、前記駆動伝達部の回転によって前記ガードバーを線形運動させる摺動バーと、を含む。
【００１３】
また、前記ガードバーは、前記ブレードと対面する第１の面を有し、前記第１の面は斜めに形成される。
【００１４】
また、前記ガードバーの少なくとも一端には突起部が形成され、前記ブレードハウジングには、前記突起部に対応するレール部が形成され、前記突起部が前記レール部に沿って移動することで、前記ガードバーが前記ブレードハウジングで線形運動する。
【００１５】
また、前記摺動バーの底面には、前記駆動伝達部が収容され、前記駆動伝達部の回転のための回動締結空間が形成される。
【００１６】
また、前記駆動伝達部は、偏心カムボディと、前記偏心カムボディの一端に備えられ、外面の全体または一部が曲面で形成され、前記回動締結空間に収容される偏心カムヘッドと、を含む。
【００１７】
また、カミソリは、前記ブレードハウジングと前記ハンドルをつなぎ、前記駆動伝達部が安着され、前記ブレードハウジングがピボットできるように、ピボット軸を提供するカートリッジコネクタをさらに含む。
【００１８】
本発明の他の具体的な事項は詳細な説明及び図面に含まれている。
【発明の効果】
【００１９】
本発明の実施例に係ると、少なくとも次のような効果がある。
【００２０】
カミソリを使用して体毛を切断するとき、揺動部材の揺動でブレードに流入する体毛をブレードに近づくように押し込み、体毛の切断時に体毛の切断断面を減少させ、体毛がブレード側に連れて行かれ、ブレードによって引っ張られることを防ぎ、肌の引き攣りを制限し、剃毛時や後でユーザーに発生するひりひり感や不快感を最小限に抑えることができる利点がある。
【００２１】
本発明による効果は、以上で例示された内容によって制限されず、更に様々な効果が本明細書中に開示される。
【図面の簡単な説明】
【００２２】
【図１】本発明の一実施例に係るハンドルを含むカミソリの概略的な斜視図である。
【図２ａ】本発明の一実施例に係るコネクタを除くカミソリの一方向の斜視図である。
【図２ｂ】本発明の一実施例に係るコネクタを除くカミソリの他方向の斜視図である。
【図３ａ】本発明の一実施例に係るカミソリの一方向の分離斜視図である。
【図３ｂ】本発明の一実施例に係るカミソリの他方向の分離斜視図である。
【図４】本発明の一実施例に係るカミソリの概略的な断面図を示す図である。
【図５ａ】本発明の一実施例に係るカミソリにて、ブレードハウジングに収容された揺動部材が最前段ブレードに最も近く位置した状態を概略的に示す斜視図である。
【図５ｂ】本発明の一実施例に係るカミソリにて、ブレードハウジングに収容された揺動部材が最前段ブレードから最も遠く位置した状態を概略的に示す斜視図である。
【図６】本発明の一実施例に係るカミソリにて、ブレードハウジングに収容された揺動部材を下面方向から概略的に示す斜視図である。
【図７】本発明の一実施例に係るカミソリにて、揺動部材とブレード、そして駆動伝達部が結合した状態を概略的に示す斜視図である。
【図８】本発明の一実施例に係るカミソリにおける揺動部材の断面図である。
【図９ａ】従来のカミソリにて体毛を切断する駆動状態を示す図である。
【図９ｂ】従来のカミソリにて体毛を切断する駆動状態を示す図である。
【図１０ａ】本発明の一実施例に係るカミソリでの体毛切断の駆動状態を示す図である。
【図１０ｂ】本発明の一実施例に係るカミソリでの体毛切断の駆動状態を示す図である。
【図１０ｃ】本発明の一実施例に係るカミソリでの体毛切断の駆動状態を示す図である。
【図１１ａ】従来のカミソリによって切断された体毛の概略的な断面図である。
【図１１ｂ】本発明の一実施例に係るカミソリを用いて切断された体毛の概略的な断面図である。
【発明を実施するための形態】
【００２３】
以下、本発明の様々な実施例が添付された図面を参照して述べる。
【００２４】
しかし、これは本発明を特定の実施例について限定するものではなく、本発明の実施例の様々な変更（modification）、均等物（equivalent）、および／または代替（alternative）を含むものと理解すべきである。図面の説明に関連し、同様の構成要素については同様の参照符号を使用する。
【００２５】
本明細書では、「有する」、「有し得る」、「含む」または「含み得る」などの表現は、その特徴（例えば、数値、機能、動作、または部品などの構成要素）の存在を指し、付加的な特徴の存在を排除しない。
【００２６】
本明細書で使用する用語は、単に特定の実施例を説明するために使用されたものであり、他の実施例の範囲を限定しようとする意図はない。単数の表現は、文脈上明らかに異なる意味がない限り、複数の表現を含む。技術的または科学的な用語を含めてここで使用するすべての用語は、本開示の技術分野における通常の知識を有する者によって一般的に理解するのと同じ意味を有する。一般的に使用する辞典定義の用語は、関連技術の文脈上有する意味と同一又は類似の意味を有するものと解釈することができ、この文書で明らかに定義されない限り、理想的または過度に形式的な意味で解釈されない。場合によって、本明細書で定義された用語であっても、本開示の実施例を排除するように解釈されない。
【００２７】
以下、添付の図面を参照して本発明の好適な実施例に係るカミソリを詳しく説明する。
【００２８】
図１は、本発明の一実施例に係るハンドルを含むカミソリの概略的な斜視図である。図２ａは、本発明の一実施例に係るコネクタを除くカミソリの一方向斜視図である。図２ｂは、本発明の一実施例に係るコネクタを除くカミソリの他方向の斜視図である。図３ａは、本発明の一実施例に係るカミソリ１の一方向の分離斜視図である。図３ｂは、本発明の一実施例に係るカミソリ１の他方向の分離斜視図である。
【００２９】
図１ないし図３ｂを参照すると、本発明の一実施例に係るカミソリ１は、ハンドル２０と、ブレードハウジング１１を有するカートリッジ１０と、動力生成部３２及び駆動伝達部３１を有する動力部３０と、揺動部材１４と、カートリッジコネクタ４０と、を含む。まず、以下で、本発明の一実施例に係るカミソリ１の説明の際に、本発明の説明の便宜のために、カートリッジ１０の左右方向は長手方向またはＸ軸方向とＸ軸の反対方向、上下方向は幅方向またはＹ軸方向及びＹ軸の反対方向、前後方向はＺ軸方向及びＺ軸の反対方向と言う、または、定義する。しかし、前記定義のＸ、Ｙ、Ｚ軸は本発明についての説明の便宜のためであり、本発明の権利範囲を制限するものではない。
【００３０】
本発明の一実施例に係るカートリッジ１０は、ユーザーの皮膚と接触して体毛を切断するための構成要素を含む構成である。例えば、カートリッジ１０は、体毛を切断するブレード１２、ブレード１２を支持するブレードハウジング１１、潤滑バンド１３、及びガード１７などを含むことはもちろん、本発明の一実施例のように、切断時に体毛を、ブレード１２に近づくように押し込むための揺動部材１４を含む。
【００３１】
一実施例に係るブレードハウジング１１は、カートリッジ１０の一つの構成要素として、体毛を切断する複数のブレード（１２ａないし１２ｅ、以下で１２とも記す）、揺動部材１４、潤滑バンド１３などを実装し、肌側と接触する面を有する構成である。ブレードハウジング１１には、複数のブレード１２と揺動部材１４などを収容できる安着空間１１Ｓを形成する。複数のブレード１２と揺動部材１４は、ブレードハウジング１１の安着空間１１Ｓに収容し、長さ方向、すなわち、Ｘ軸方向に長く実装し、Ｙ軸方向に互いに隣接して配置する。ブレードハウジング１１の左右側面には、複数のブレード１２を安着空間１１Ｓに収容した状態で支持固定する一対のクリップ１５を実装する。本発明の一実施例で、複数のブレード１２をブレードハウジング１１に固定するための構成として固定クリップ１５を例に挙げたが、固定クリップ１５以外の他の形態の固定装置を用いてもよい。
【００３２】
複数のブレード１２は、互いがそれぞれ平行であり、複数のブレード１２のエッジ（Edge）部分が、ブレードハウジング１１の前方、すなわちＺ軸方向に対してＹ軸の反対方向に一定の角度で曲がっている。ただし、複数のブレード１２のエッジ方向は、これに限定されず、例えば、複数のブレード１２は、鋼帯刃または平刃などで備えられてもよい。また、図面に５つのブレードを図示したが、複数のブレード１２の個数は、これに限定されない。
【００３３】
また、ブレードハウジング１１において複数のブレード１２を中心に、ブレード１２のＹ軸方向に上、下の部分にはガード１７、潤滑バンド１３、コームガード、ガードラバーなどが備えられ、複数のブレード１２にて、最前段ブレード１２ａ（最前方ブレード１２ａとも言う）に隣接した揺動部材１４が備えられる。すなわち、本発明の一実施例に係るカミソリ１には、ブレード１２とガード１７との間に形成された安着空間１１Ｓに揺動部材１４が実装される。揺動部材１４については、図４ないし図１０を参照して具体的に説明できる。トリマー１８は、ブレードハウジング１１の他一面に備えられる。トリマー１８は、別途の締結構造を介してブレードハウジング１１に固定され、接着部材のような固定部材を介してブレードハウジング１１に固定される。
【００３４】
潤滑バンド１３は、剃毛の過程でブレードハウジング１１と接する皮膚に潤滑成分と肌鎮静成分を供給してブレードハウジング１１が、肌面に密着した状態で滑らかに進行するようにすると同時に、皮膚を落ち着かせる役割を有する。そして、潤滑バンド１３の位置に、潤滑バンド１３でなく、弾性素材からなるガードラバーを備えてもよい。
【００３５】
ガード１７は、弾性部材やプラスチックのような材質からなり、ガード１７は、ブレードハウジング１１の前方または後方に付着したり結合するのが一般的であるが、これに限らず、ブレードハウジング１１がガード１７の部分に一体的に形成することもできる。ガード１７は、コームガードで形成するか、ガードラバーで形成してもよく、ガード１７のＺ軸方向に前方部分にコームガードやガードラバーが追加的に装着される構造を有してもよい。後述するが、揺動部材１４は、ガード１７と隣接するように配置して備えられる。
【００３６】
上で述べた、ガード１７、トリマー１８、ガードラバー、潤滑バンド１３及びコームガードなどの構成は、上記の説明に限定されるものではない。例えば、潤滑バンド１３、ガードラバーおよびコームガードは、ブレードハウジング１１の上方または下方のどちらにも配置することができ、互いに入れ子にして配置してもよく、これとは異なって、ブレードハウジング１１に配置しなくてもよい。すなわち、潤滑バンド１３、ガードラバー、コームガード、トリマー１８などの構成は、カミソリ１の種類、形状、使い道などによりいくらでも変更や変形が可能である。
【００３７】
一実施例に係るハンドル２０は、カートリッジ１０の一面に結合することができ、ユーザーが手でつかんで把持できる部分である。一般的に、カミソリを使用している環境は、ほとんど湿った環境で使用され、ハンドル２０は、湿気と多く接触しても腐食が容易に発生せず、ユーザーに安定したグリップ感を提供する材料、例えば合成ゴム、プラスチックなどで製造することが望ましいが、ハンドル２０の材質はいくらでも変形や変更が可能である。
【００３８】
一実施例に係るカートリッジコネクタ４０は、カートリッジ１０とハンドル２０との間に備えられ、ハンドル２０とカートリッジ１０をつなぐように備えられる。カートリッジコネクタ４０は、カートリッジコネクタ４０の両側面に形成されたボス４１をつなぐことで形成されるピボット軸ＰＡを提供できる。カートリッジコネクタ４０の内側空間に後述する動力部３０の駆動伝達部３１が安着する。駆動伝達部３１は、カートリッジコネクタ４０によってカバーされ、駆動伝達部３１が外部にさらされるのを制限する。
【００３９】
図４は、本発明の一実施例に係るカミソリ１の概略的な断面図を示す図である。
【００４０】
図１ないし図３ｂはもちろん図４も一緒に参照すると、一実施例に係る動力部３０は、ハンドル２０の内部に備えられ、カートリッジ１０は、具体的に後述する揺動部材１４に駆動力を伝達するように備えられる。動力部３０の駆動に応じて揺動部材１４は、ブレード１２側に近づいたり遠ざかる方向に摺動しながら揺動する。
【００４１】
一実施例に係る動力部３０は、ハンドル２０の内部に安着し、後述する揺動部材１４を駆動するための動力を伝達するように備えられる。動力部３０は、動力生成部３２及び駆動伝達部３１を含む。
【００４２】
一実施例に係る動力生成部３２は、ハンドル２０に装着され、揺動部材１４を駆動させるための動力を生成するように備えられる。本発明の一実施例では、動力生成部３２は、モータを例に挙げて説明する。しかし、動力生成部３２は、回転運動をするモータ以外にも線形運動をするソレノイドなどの反復的な動きを生成できるさまざまなデバイスを含むことができ、揺動部材１４を駆動するように駆動力を提供する構成であれば、いくらでも変形や変更が可能である。動力生成部３２の一端には、モータの回転を駆動伝達部３１に伝達する回転軸Ａを形成するシャフト３２１が備えられる。モータは、外部電力の供給を受け、モータのシャフト３２１を回転させるように備えられる。シャフト３２１の回転軸Ａは、モータの中心軸と同一である。
【００４３】
一実施例に係る駆動伝達部３１は、動力生成部３２の一端で回転または／および線形的に駆動するように突出して備えられ、動力生成部３２から生成された動力を揺動部材１４に伝達するように備えられる。
【００４４】
本発明の一実施例にて、駆動伝達部３１は、動力生成部３２から受けた動力で回転し、回転軸Ａが偏心的に形成するよう備えられる。これにより、駆動伝達部３１は、動力生成部３２から渡された回転および／または線形運動などによる動力を後述する揺動部材１４に伝達し、揺動部材１４が線形運動できるように備えられる。本発明の一実施例にて、駆動伝達部３１が偏心することで、これにつながって駆動する揺動部材１４が線形運動する構造を有することを例に挙げて説明するが、これに限定されるものではない。つまり、動力生成部３２の駆動力の伝達を受け、揺動部材１４をブレード１２に近づけるか遠ざかる方向に線形運動するような構造であれば、駆動伝達部３１は、偏心構造以外にも様々な変形や変更された構造を含むことができる。
【００４５】
駆動伝達部３１は、上述したように偏心した構造を有し、例えば、偏心カムの形状を有する。駆動伝達部３１は、偏心カムヘッド３１１及び偏心カムボディ３１３を含み、偏心カムヘッド３１１と偏心カムボディ３１３をつなぐ偏心カムネック３１２を含む。
【００４６】
偏心カムヘッド３１１は、動力生成部３２、具体的にはモータから渡された動力で回転し、偏心カムヘッド３１１の中心軸ＥＳは、モータ、具体的にはシャフト３２１の回転軸Ａから所定間隔で離間して平行するように偏心が備えられる。偏心カムヘッド３１１の中心軸ＥＳが、シャフト３２１の回転軸Ａから所定の距離離れた偏心を有するように形成することによって偏心カムヘッド３１１が回転すると、偏心カムヘッド３１１は、後述する揺動部材１４を線形運動させるように備えられる。また、本発明の一実施例では、偏心カムヘッド３１１の中心軸と回転軸Ａの距離の差に応じて揺動部材１４の線形運動の振幅を変えることができる。偏心カムヘッド３１１の一端は、偏心カムボディ３１３につながるように備えられ、偏心カムヘッド３１１の他一端は後述する揺動部材１４、具体的に揺動部材１４のうちの摺動バー１４２に接触するように備えられる。一実施例で、偏心カムヘッド３１１は、所定の曲率を有する球状に形成する。本発明の一実施例で、偏心カムヘッド３１１は、全体が一定の曲率を有する球状を有することを例に挙げて説明したが、これに限定されない。例えば、偏心カムヘッド３１１が半球状に形成され、半球状の一端は、偏心カムボディ３１３につながるように備えられ、半球状の部分は、摺動バー１４２と接触するよう備えられる。このように、偏心カムヘッド３１１の形状は、摺動バー１４２と接触して摺動バー１４２を駆動するように、すなわち、揺動部材１４を線形に移動させられるような形状であれば、偏心カムヘッド３１１の形状は、いくらでも変形や変更が可能である。
【００４７】
偏心カムボディ３１３は、動力生成部３２、具体的にモータの一端から突出したシャフト３２１につながれ、動力生成部３２から伝達された動力を偏心カムヘッド３１１に伝達して偏心カムヘッド３１１を回転させるように備えられる。偏心カムボディ３１３の中心軸は、動力生成部３２、具体的には、シャフト３２１の回転軸Ａと一致するように備えられる。
【００４８】
偏心カムネック３１２は、偏心カムボディ３１３と偏心カムヘッド３１１をつなぐように備えられる。一実施例では、偏心カムネック３１２は、偏心カムボディ３１３の一側につながれ、偏心カムボディ３１３にて偏心的につながる。すなわち、偏心カムネック３１２の中心軸ＥＡは、偏心カムボディ３１３の回転軸Ａから所定の距離で離間するように形成する。これにより、動力生成部３２の駆動によって偏心カムネック３１２は、シャフト３２１の回転軸Ａを中心に偏心回転する。
【００４９】
本発明の一実施例にて、偏心カムボディ３１３と偏心カムヘッド３１１は、偏心カムネック３１２につながる構造を例に挙げて説明したが、偏心カムネック３１２を備えないで、偏心カムヘッド３１１と偏心カムボディ３１３が直接つながることもできるなど、様々な変形や変更が可能である。
【００５０】
図５ａは、本発明の一実施例に係るカミソリ１にて、ブレードハウジング１１に収容された揺動部材１４が最前段ブレードに最も近く位置した状態を概略的に示す斜視図である。図５ｂは、本発明の一実施例に係るカミソリ１にて、ブレードハウジング１１に収容された揺動部材１４が最前段ブレードから最も遠く位置した状態を概略的に示す斜視図である。図６は、本発明の一実施例に係るカミソリ１にて、ブレードハウジング１１に収容された揺動部材１４を下面方向から概略的に示す斜視図である。図７は、本発明の一実施例に係るカミソリ１にて、揺動部材１４とブレード１２、そして駆動伝達部３１が結合された状態を概略的に示す斜視図である。
【００５１】
図５ａ〜図７はもちろん、図４も一緒に参照すると、本発明の一実施例に係る揺動部材１４は、ブレードハウジング１１の安着空間１１Ｓに実装され、ブレード１２、具体的には複数のブレード１２のうちの最前段ブレード１２ａ（最前方ブレード１２ａ）の前方に配置されるように実装する。
【００５２】
揺動部材１４の一面、例えば、揺動部材１４の上面は、皮膚面に接触したり、皮膚面に近接するように外部に露出され、体毛と接触して体毛をブレード１２に近づくように押し込むための構造を有する。揺動部材１４によってブレード１２に近くなるように押し出された体毛のうちの一部は、皮膚に対してほぼ垂直方向になるように起立する。また、揺動部材１４の他の一面、例えば、揺動部材１４の下面は、動力部３０、具体的には駆動伝達部３１と結合するように備えられる。
【００５３】
揺動部材１４は、駆動伝達部３１の偏心駆動に応じてブレードハウジング１１の安着空間１１Ｓにおいて、ブレード１２、具体的には最前段ブレード１２ａとガード１７との間で、最前段ブレード１２ａに近づいたり遠ざかる方向、すなわちＹ軸及びＹ軸の反対方向に摺動して揺動する。揺動部材１４がＹ軸及びＹ軸の反対方向に摺動によって揺動しながら、ブレードハウジング１１と皮膚面の接触によって体毛を押しこみながらブレード１２側に寝かせて入ってくる体毛のうちの一部を皮膚に対してほぼ垂直方向になるように起立させることができる。すなわち、揺動部材１４と、最前段ブレード１２ａとの間の空間で体毛は、揺動部材１４のＹ軸方向及びＹ軸の反対方向への摺動に伴う揺動で最前段ブレード１２ａに体毛を押し込み、一部の体毛を皮膚に対してほぼ垂直な方向に起立した状態で流入する。
【００５４】
本発明の一実施例に係る揺動部材１４の振動によって揺動部材１４は、体毛を最前段ブレード１２ａ側に押し込み、安着空間１１Ｓに流入した一部の体毛は、皮膚に対して垂直な方向により近い起立した状態で流入する。揺動部材１４が最前段ブレード１２ａから離れて停止した状態であるとき、揺動部材１４と最前段ブレード１２ａとの間のスパンは、０.４ｍｍ〜２.０ｍｍで備えられ、より好ましくは０.５ｍｍ〜１.６ｍｍで備えられる。そして、揺動部材１４の移動時には、最前段ブレード１２ａのエッジと揺動部材１４との間のスパンは、０ｍｍ〜２.３ｍｍで備えられる。しかし、揺動部材１４と最前段ブレード１２ａとの間の前記スパンはこれに限定されず、揺動部材１４の形状や形態によって可変することができ、最前段ブレード１２ａの形状、例えば、曲がるように形成したブレード１２または鋼帯からなるブレード１２などに応じて可変することはもちろんである。
【００５５】
また、揺動部材１４は揺動することによって体毛をブレード１２に近づくように押しこむメインの機能だけでなく、追加機能を具現できるように備えられる。例えば、揺動部材１４には、潤滑物質を提供するためのサブ潤滑部材が備えられるか、上面で体毛を整えるように、多数の突起や溝またはハッチ形状の突起や溝形状を有するサブコームガードまたは皮膚をより容易に押すためのガードラバーが備えられる。また、揺動部材１４は、様々な材質、例えば、ブレードハウジングと同じ材質からなってもよく、他の材料からなってもよい。また、揺動部材１４は、一部の体毛を起立させるだけでなく、体毛をブレード１２側に移動させて切断時の切断の容易性のために所定の引っ張りの役割ができるようにラバー材質を含んでもよい。
【００５６】
揺動部材１４は、駆動伝達部３１と結合して摺動のための下面部分と、体毛をブレード１２の方向に押し込むために、摺動する上面部分が一体型で備えられるか、又は分離型で形成される。本発明の一実施例では、揺動部材１４は、上面部分（以下で説明する「ガードバー１４１」）と下面部分（以下で説明する「摺動バー１４２」）が一体型で形成される構造を例に挙げて説明したが、揺動部材１４の形状や製作方法、製作工程などにより分離型で形成してもよい。ここで、「一体型」という意味は、互いに分離せずに、別の結合部材や結合構造を持たずに、一つの形状を有する構成にするという意味である。揺動部材１４が一体型の構成を有する場合、同一の材質で一つの形状を有することが望ましいが、これに限定されない。例えば異種材料を射出やダイカストを介して互いに分離せずに、一つの形状を有して一体型で備えられることもあるように、様々な変形や変更が可能なのはもちろんである。
【００５７】
本発明の一実施例に係る揺動部材１４は、一体型で形成され、ガードバー１４１と摺動バー１４２として機能を分けてもよい。
【００５８】
ガードバー１４１は、安着空間１１Ｓにて、ガード１７と最前段ブレード１２ａとの間でＸ軸方向に長く形成されるとともに、揺動するように備えられる構成であり、ガードバー１４１の揺動に応じて体毛をブレード１２の方向に押し込む役割をするように備えられる。
【００５９】
摺動バー１４２は、ガードバー１４１の下部中央部分に配置してもよく、ガードバー１４１なしに、ブレードハウジング１１の下部に配置してもよい。摺動バー１４２は、動力部３０の駆動力の伝達を受け、ガードバー１４１を線形的に摺動させる。
【００６０】
ガードバー１４１と摺動バー１４２は、一体型として、互いに同じ材質で備えるが、二重射出などを介して互いに異なる材質で一体型として備えるようにすることも可能である。例えば、ガードバー１４１と摺動バー１４２は、所定の弾性を有するラバー材質で備えてもよく、これとは異なり、ガードバー１４１は、ラバー材質で、摺動バー１４２はプラスチック材質を含むようにしてもよい。ガードバー１４１と摺動バー１４２の材質をラバー材質やプラスチック材質を例に挙げて説明したが、ガードバー１４１と摺動バー１４２の材質は、いくらでも変更や変形が可能である。
【００６１】
図８は、本発明の一実施例に係るカミソリで揺動部材の断面図である。
【００６２】
図８を参照すると、ガードバー１４１は、最前段ブレード１２ａに隣接するように配置することができ、ブレード１２と同じ方向、すなわち、長さ方向に長く備えて安着空間１１Ｓに収容する。ガードバー１４１は、摺動バー１４２によって最前段ブレード１２ａに近づいたり遠ざかる方向に線形的に摺動する。
【００６３】
ガードバー１４１の上面には、体毛を、ブレード１２の方向に押し込んだり、一部の体毛を起立させたり、ブレード１２に流入する体毛を整えるために体毛を切断する方向、例えば、Ｙ軸方向にコームガードのような形で複数の溝１４１ｄを形成する。また、ガードバー１４１には、Ｘ軸方向に沿って収容溝１４１ｃを形成し、収容溝１４１ｃには、の体毛を整えたり、潤滑物質を提供したり、体毛を引っ張るためのサブモジュール１６が実装できる。例えば、サブモジュール１６は、体毛を引っ張ったり、整えることができるサブラバーガードやサブコームガードである。または、これとは異なり、サブモジュール１６には、サブ潤滑バンドが追加的に備えられてもよい。サブモジュール１６は、ガードバー１４１と同じ材質で構成されたり、または異種材質で備えられてもよく、サブモジュール１６の機能や役割に応じて多様に変更や変形が可能である。例えば、サブモジュール１６は、ラバーやプラスチック材質のサブコームガードまたはサブガードである。本発明の一実施例で、ガードバー１４１には、収容溝１４１ｃが形成され、収容溝１４１ｃに、サブモジュール１６を実装する構造を例に挙げて説明したが、サブモジュール１６は、選択的に実装できるものであり、収容溝１４１ｃが形成されていないガードバー１４１でもよく、いくらでも変形や変更が可能である。
【００６４】
本発明の一実施例では、ガードバー１４１が最前段ブレード１２ａと隣接して対向する第１の面１４１ａは、垂直または所定の傾斜を有するように備えられる。例えば、第１の面１４１ａは垂直に形成される。この場合、ブレードハウジング１１と、皮膚面の接触によって剃毛方向に倒れて流入する体毛がガードバー１４１の上面と第１の面１４１ａによりブレード１２の方向に押されながら、肌面から垂直な方向に起立する。また、第１の面１４１ａは所定の傾斜を有するように形成される。この場合、第１の面１４１ａが垂直に形成される場合に比べて倒れている体毛の起立をより容易にする。本発明の一実施例で、第１の面１４１ａは、傾斜することを例に挙げて説明したが、これに限定されない。例えば、前記体毛の押しや起立、引っ張り及びブレード１２側に流入する体毛切断の容易さのために、第１の面１４１ａは、所定の曲率を有するように備えられるか、所定の曲率を有しながら斜めに形成されてもよい。
【００６５】
ガードバー１４１の下面の両側端部には、ブレードハウジング１１にかかって固定されるとともに、揺動部材１４をブレードハウジング１１にて摺動をガイドする突起部１４１１を備える。
【００６６】
突起部１４１１は、ガードバー１４１の両側面にて幅方向、すなわちＹ軸方向に形成され、ブレードハウジング１１側に向かって曲がって突出する固定リング１４１１ａの構造を有する。ブレードハウジング１１の下面の両側には固定リング１４１１ａがかかるようにレール部１１ａがＹ軸方向に長く形成するように備えられる。一実施例で、レール部１１ａは、固定リング１４１１ａがかかるとともにＹ軸方向及びＹ軸の反対方向への線形移動をガイドするように固定バーの形で形成する。また、固定バーには固定リング１４１１ａの端部を掛け、固定された状態での移動を具現できるように、所定に引っ込んだ形態の係止溝（図示せず）を形成する。本発明の一実施例では、ブレードハウジング１１側に曲がって突出した固定リング１４１１ａがかかるように、ブレードハウジング１１の下面両側に固定バーの形態のレール部１１ａを形成することを例えとして説明した。しかし、固定リング１４１１ａ及び固定バーの形状や構造及び個数は、これに限定されず、突起部１４１１がレール部１１ａにかかって固定され、突起部１４１１が、レール部１１ａで線形駆動可能にする形状や構成であれば、いくらでも変形や変更が可能である。例えば、突起部１４１１とレール部１１ａは、互いに噛み合うカンチレバーに形成する。また、突起部１４１１とレール部１１ａは、結合及び摺動の容易さのためにラバーや潤滑物質を含む材質からなってもよい。
【００６７】
本発明の摺動バー１４２は、ガードバー１４１の中央下部部分にて、駆動伝達部３１、具体的に偏心カムヘッド３１１と結合するように備える。
【００６８】
本発明の一実施例に係る摺動バー１４２は、第１部材１４２ａと第２部材１４２ｂを含む。摺動バー１４２は、ガードバー１４１の中央下部にて、ブレードハウジング１１の後方、すなわちＺ軸の反対方向に向かって突出するように形成する。第１部材１４２ａと第２部材１４２ｂは、互いに対向して一定の間隔を有して並ぶように形成する。例えば、第１部材１４２ａと第２部材１４２ｂは、平行に形成することができ、第１部材１４２ａと第２部材１４２ｂの結合によって摺動バー１４２の底面には「コ」字状の回動締結空間１４２ｓを形成する。回動締結空間１４２ｓには、駆動伝達部３１、具体的に偏心カムヘッド３１１が安着する。偏心カムヘッド３１１は、第１部材１４２ａと第２部材１４２ｂに接触した状態で第１部材１４２ａと第２部材１４２ｂとの間で駆動する。第１部材１４２ａと第２部材１４２ｂは、それぞれＹ軸方向及びＹ軸の反対方向に移動自在に備える。つまり偏心カムヘッド３１１が回動締結空間１４２ｓに安着し、偏心カムの軸を中心に回転駆動すると、第１部材１４２ａ又は第２部材１４２ｂは、偏心カムヘッド３１１の接触によってＹ軸方向またはＹ軸の反対方向に押される。第１部材１４２ａ及び第２部材１４２ｂがＹ軸方向またはＹ軸の反対方向に押されながらガードバー１４１を線形的に摺動するようにする。
【００６９】
また、ガードバー１４１の下面の中央部で、摺動バー１４２の周囲には、突起部１４１１とともに、揺動部材１４をブレードハウジング１１にて摺動をガイドする結合部１４１２を追加的に備える（図６と一緒に参照）。ただし、結合部１４１２は、選択的な構成であり、揺動部材１４の形状や構成に応じていくらでも変形や変更が可能である。
【００７０】
結合部１４１２は、Ｙ軸方向に形成することができ、その端部は外側方向に互いに離れる方向に曲がった一対のレッグ１４１２ｙを含むことができる。レッグ１４１２ｙは、互いに離れる方向に曲げられ、ブレードハウジング１１に形成された係止バー１１ｂにかかるリング状に形成する。
【００７１】
本発明の一実施例では、突起部１４１１及びレール部１１ａに加えて、レッグ１４１２ｙと係止バー１１ｂによってガードバー１４１がブレードハウジング１１にて摺動をガイドする構造を有することを例に挙げて説明したが、これについて構造や構成及び個数は、いくらでも変形や変更が可能である。
【００７２】
図９ａ及び図９ｂは、従来のカミソリにおける体毛切断駆動状態を示す図である。図１０ａ、図１０ｂ及び図１０ｃは、本発明の一実施例に係るカミソリにおける体毛切断駆動状態を示す図である。図１１ａは、従来のカミソリによって切断された体毛の概略的な断面図である。図１１ｂは、本発明の一実施例に係るカミソリを使用して切断された体毛の概略的な断面図である。
【００７３】
まず、図９ａ及び図９ｂを参照して従来の揺動部材がない構造のカミソリで体毛切断を見てみる。体毛切断のために、ブレードハウジング１１の一面は皮膚と接触する。ブレードハウジング１１によって体毛は力を受け、肌面に向かって押されて倒れた状態でブレード１２側に移動する。以降カミソリ１が剃毛方向に移動し、皮膚面に倒れた体毛が引っ張られながら切断される。したがって、ブレード１２によって体毛が鋭利に切断されず、切断された体毛の断面積が広くなるだけでなく、ブレード１２によって、後で切断される体毛の端部部分は、引き伸ばされて汚く見える、いわゆるタジング（tugging）現象が発生する。
【００７４】
しかし、図１０ａないし図１０ｃを参照し、本発明の一実施例のように、揺動部材１４がある構造のカミソリ１での体毛切断を見てみる。揺動部材１４が備えられたカミソリ１を介して体毛切断を行う場合、揺動部材１４が揺動することに従い、ブレードハウジング１１によって皮膚面に倒れた体毛がブレード側に移動時、起立する。つまり、揺動部材１４がガード１７と最前段ブレード１２ａとの間で揺動するに応じてガード１７側には、倒れて流入する体毛が最前段ブレード１２ａに移動しながら、揺動部材１４の揺らぎと揺動部材１４の第１の面１４１ａによって皮膚面に対して垂直な方向に起立する。
【００７５】
図１１ａ及び図１１ｂにより、従来の揺動部材がない状態での体毛の切断状態と、本発明のように揺動部材がある状態での体毛の切断状態を比較して見ることができる。
【００７６】
体毛の最も理想的な切断方向は体毛の形成方向と略垂直方向である。しかし、図１１ａに示すように、従来は、皮膚面に向かって倒れた体毛が皮膚面に向かって倒れた状態で切断することによって体毛が形成された方向との角度の差が小さいほかない。また、ブレード１２によって体毛が鋭利に切断するのではなく、ユーザーの強制的な力によって引っ張られながら切断される。したがって、切断された体毛の断面積は広くなり、ブレード１２によって、後で切断する体毛の端部部分は、引き伸ばされて汚く見えるタジング（tugging）現象が発生することがわかる。
【００７７】
これとは異なり図１１ｂに示すように、本発明の揺動部材１４は、体毛をブレード１２の方向に押し込むとともに起立させ、最も理想的な方向で切断するように体毛をブレード１２の刃先に位置させるものである。したがって、ブレード１２に流入する体毛をブレード１２の方向に垂直な方向に起立させることで、可能な限り理想的に体毛を切断する。
【００７８】
本発明が属する技術分野の通常の知識を有する者は、本発明がその技術的思想や必須の特徴を変更せず、他の具体的な形で実施することがあることが理解できるだろう。したがって、以上で記述した実施例は、すべての局面において例示的なものであり限定的ではないと理解しなければならない。本発明の範囲は、前記詳細な説明ではなく、後述する特許請求の範囲によって示され、特許請求の範囲の意味及び範囲そしてその均等概念から導き出せるすべての変更または変形された形態が本発明の範囲に含まれるものと解釈すべきである。
【符号の説明】
【００７９】
１  カミソリ、１０  カートリッジ、１１  ブレードハウジング、１２  ブレード、１２ａ  最前段ブレード（最前方ブレード）、１３  潤滑バンド、１４  揺動部材、１５  クリップ、１６  サブモジュール、２０  ハンドル、３０  動力部、３１  駆動伝達部、３２  動力生成部、４０  カートリッジコネクタ、１４１  ガードバー、１４１ａ  第１の面、１４１ｂ  第２の面、１４１ｃ  収容溝、１４１ｄ  溝、１４２  摺動バー、１４２ａ  第１部材、１４２ｂ  第２部材、１４２ｓ  回動締結空間、３１１  偏心カムヘッド、３１２  偏心カムネック、３１３  偏心カムボディ、３２１  シャフト。
【図１】
2019209150.tif 000003
【図２ａ】
2019209150.tif 000004
【図２ｂ】
2019209150.tif 000005
【図３ａ】
2019209150.tif 000006
【図３ｂ】
2019209150.tif 000007
【図４】
2019209150.tif 000008
【図５ａ】
2019209150.tif 000009
【図５ｂ】
2019209150.tif 000010
【図６】
2019209150.tif 000011
【図７】
2019209150.tif 000012
【図８】
2019209150.tif 000013
【図９ａ】
2019209150.tif 000014
【図９ｂ】
2019209150.tif 000015
【図１０ａ】
2019209150.tif 000016
【図１０ｂ】
2019209150.tif 000017
【図１０ｃ】
2019209150.tif 000018
【図１１ａ】
2019209150.tif 000019
【図１１ｂ】
2019209150.tif 000020